【手続補正書】
【提出日】平成16年6月2日(2004.6.2)
【手続補正１】
【補正対象書類名】明細書
【補正対象項目名】発明の名称
【補正方法】変更
【補正の内容】
【発明の名称】液晶表示装置
【手続補正２】
【補正対象書類名】明細書
【補正対象項目名】特許請求の範囲
【補正方法】変更
【補正の内容】
【特許請求の範囲】
【請求項１】
対向する第１の基板と第２の基板と、前記第１の基板と前記第２の基板の隙間に封止された液晶とを有し、
前記第１の基板には、複数の画素電極と、該画素電極に接続されたスイッチング素子とが配置され、
前記第２の基板には、前記第１の基板と前記第２の基板の隙間を保持する複数のギャップ保持部材と、前記液晶を配向させる配向膜とが設けられ、前記ギャップ保持部材は、前記配向膜を形成する前に形成されたことを特徴とする液晶表示装置。
【請求項２】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記配向膜を形成する前に形成されたことを特徴とする液晶表示装置。
【請求項３】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記配向膜を形成する前に形成されたことを特徴とする液晶表示装置。
【請求項４】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記配向膜を形成する前に形成されたことを特徴とする液晶表示装置。
【請求項５】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記配向膜を形成する前に形成されたことを特徴とする液晶表示装置。
【請求項６】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は、前記第２の基板を前記第1の基板と対向させたときに前記画素領域の表示に寄与しない部分に配置されるように、前記配向膜を形成する前に形成されたことを特徴とする液晶表示装置。
【請求項７】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は、前記第２の基板を前記第1の基板と対向させたときに前記画素領域のバスライン上に配置されるように、前記配向膜を形成する前に形成されたことを特徴とする液晶表示装置。
【請求項８】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は、前記配向膜を形成する前に形成され、前記ギャップ保持部材の形状は流線形状であることを特徴とする液晶表示装置。
【請求項９】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は、前記配向膜を形成する前に形成され、前記ギャップ保持部材の形状は楕円形状であることを特徴とする液晶表示装置。
【請求項１０】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は、前記配向膜を形成する前に形成され、前記ギャップ保持部材の形状は多角形状であることを特徴とする液晶表示装置。
【請求項１１】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記第２の基板を前記第1の基板と対向させたときに前記画素領域の表示に寄与しない部分に配置されるように、前記配向膜を形成する前に形成されたことを特徴とする液晶表示装置。
【請求項１２】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記第２の基板を前記第1の基板と対向させたときに前記画素領域の表示に寄与しない部分に配置されるように、前記配向膜を形成する前に形成されたことを特徴とする液晶表示装置。
【請求項１３】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記第２の基板を前記第1の基板と対向させたときに前記画素領域の表示に寄与しない部分に配置されるように、前記配向膜を形成する前に形成されたことを特徴とする液晶表示装置。
【請求項１４】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記第２の基板を前記第1の基板と対向させたときに前記画素領域の表示に寄与しない部分に配置されるように、前記配向膜を形成する前に形成されたことを特徴とする液晶表示装置。
【請求項１５】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記第２の基板を前記第1の基板と対向させたときに前記画素領域のバスライン上に配置されるように、前記配向膜を形成する前に形成されたことを特徴とする液晶表示装置。
【請求項１６】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記第２の基板を前記第1の基板と対向させたときに前記画素領域のバスライン上に配置されるように、前記配向膜を形成する前に形成されたことを特徴とする液晶表示装置。
【請求項１７】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記第２の基板を前記第1の基板と対向させたときに前記画素領域のバスライン上に配置されるように、前記配向膜を形成する前に形成されたことを特徴とする液晶表示装置。
【請求項１８】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記第２の基板を前記第1の基板と対向させたときに前記画素領域のバスライン上に配置されるように、前記配向膜を形成する前に形成されたことを特徴とする液晶表示装置。
【請求項１９】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記配向膜を形成する前に形成され、前記ギャップ保持部材の形状は流線形状であることを特徴とする液晶表示装置。
【請求項２０】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記配向膜を形成する前に形成され、前記ギャップ保持部材の形状は流線形状であることを特徴とする液晶表示装置。
【請求項２１】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記配向膜を形成する前に形成され、前記ギャップ保持部材の形状は流線形状であることを特徴とする液晶表示装置。
【請求項２２】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記配向膜を形成する前に形成され、前記ギャップ保持部材の形状は流線形状であることを特徴とする液晶表示装置。
【請求項２３】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記配向膜を形成する前に形成され、前記ギャップ保持部材の形状は楕円形状であることを特徴とする液晶表示装置。
【請求項２４】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記配向膜を形成する前に形成され、前記ギャップ保持部材の形状は楕円形状であることを特徴とする液晶表示装置。
【請求項２５】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記配向膜を形成する前に形成され、前記ギャップ保持部材の形状は楕円形状であることを特徴とする液晶表示装置。
【請求項２６】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記配向膜を形成する前に形成され、前記ギャップ保持部材の形状は楕円形状であることを特徴とする液晶表示装置。
【請求項２７】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記配向膜を形成する前に形成され、前記ギャップ保持部材の形状は多角形状であることを特徴とする液晶表示装置。
【請求項２８】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記配向膜を形成する前に形成され、前記ギャップ保持部材の形状は多角形状であることを特徴とする液晶表示装置。
【請求項２９】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記配向膜を形成する前に形成され、前記ギャップ保持部材の形状は多角形状であることを特徴とする液晶表示装置。
【請求項３０】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記配向膜を形成する前に形成され、前記ギャップ保持部材の形状は多角形状であることを特徴とする液晶表示装置。
【請求項３１】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記第２の基板を前記第1の基板と対向させたときに前記画素領域の表示に寄与しない部分に配置されるように、前記配向膜を形成する前に形成され、前記ギャップ保持部材の形状は流線形状であることを特徴とする液晶表示装置。
【請求項３２】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記第２の基板を前記第1の基板と対向させたときに前記画素領域の表示に寄与しない部分に配置されるように、前記配向膜を形成する前に形成され、前記ギャップ保持部材の形状は流線形状であることを特徴とする液晶表示装置。
【請求項３３】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記第２の基板を前記第1の基板と対向させたときに前記画素領域の表示に寄与しない部分に配置されるように、前記配向膜を形成する前に形成され、前記ギャップ保持部材の形状は流線形状であることを特徴とする液晶表示装置。
【請求項３４】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記第２の基板を前記第1の基板と対向させたときに前記画素領域の表示に寄与しない部分に配置されるように、前記配向膜を形成する前に形成され、前記ギャップ保持部材の形状は流線形状であることを特徴とする液晶表示装置。
【請求項３５】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記第２の基板を前記第1の基板と対向させたときに前記画素領域の表示に寄与しない部分に配置されるように、前記配向膜を形成する前に形成され、前記ギャップ保持部材の形状は楕円形状であることを特徴とする液晶表示装置。
【請求項３６】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記第２の基板を前記第1の基板と対向させたときに前記画素領域の表示に寄与しない部分に配置されるように、前記配向膜を形成する前に形成され、前記ギャップ保持部材の形状は楕円形状であることを特徴とする液晶表示装置。
【請求項３７】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記第２の基板を前記第1の基板と対向させたときに前記画素領域の表示に寄与しない部分に配置されるように、前記配向膜を形成する前に形成され、前記ギャップ保持部材の形状は楕円形状であることを特徴とする液晶表示装置。
【請求項３８】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記第２の基板を前記第1の基板と対向させたときに前記画素領域の表示に寄与しない部分に配置されるように、前記配向膜を形成する前に形成され、前記ギャップ保持部材の形状は楕円形状であることを特徴とする液晶表示装置。
【請求項３９】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記第２の基板を前記第1の基板と対向させたときに前記画素領域の表示に寄与しない部分に配置されるように、前記配向膜を形成する前に形成され、前記ギャップ保持部材の形状は多角形状であることを特徴とする液晶表示装置。
【請求項４０】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記第２の基板を前記第1の基板と対向させたときに前記画素領域の表示に寄与しない部分に配置されるように、前記配向膜を形成する前に形成され、前記ギャップ保持部材の形状は多角形状であることを特徴とする液晶表示装置。
【請求項４１】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記第２の基板を前記第1の基板と対向させたときに前記画素領域の表示に寄与しない部分に配置されるように、前記配向膜を形成する前に形成され、前記ギャップ保持部材の形状は多角形状であることを特徴とする液晶表示装置。
【請求項４２】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記第２の基板を前記第1の基板と対向させたときに前記画素領域の表示に寄与しない部分に配置されるように、前記配向膜を形成する前に形成され、前記ギャップ保持部材の形状は多角形状であることを特徴とする液晶表示装置。
【請求項４３】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記第２の基板を前記第1の基板と対向させたときに前記画素領域のバスライン上に配置されるように、前記配向膜を形成する前に形成され、前記ギャップ保持部材の形状は流線形状であることを特徴とする液晶表示装置。
【請求項４４】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記第２の基板を前記第1の基板と対向させたときに前記画素領域のバスライン上に配置されるように、前記配向膜を形成する前に形成され、前記ギャップ保持部材の形状は流線形状であることを特徴とする液晶表示装置。
【請求項４５】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記第２の基板を前記第1の基板と対向させたときに前記画素領域のバスライン上に配置されるように、前記配向膜を形成する前に形成され、前記ギャップ保持部材の形状は流線形状であることを特徴とする液晶表示装置。
【請求項４６】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記第２の基板を前記第1の基板と対向させたときに前記画素領域のバスライン上に配置されるように、前記配向膜を形成する前に形成され、前記ギャップ保持部材の形状は流線形状であることを特徴とする液晶表示装置。
【請求項４７】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記第２の基板を前記第1の基板と対向させたときに前記画素領域のバスライン上に配置されるように、前記配向膜を形成する前に形成され、前記ギャップ保持部材の形状は楕円形状であることを特徴とする液晶表示装置。
【請求項４８】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記第２の基板を前記第1の基板と対向させたときに前記画素領域のバスライン上に配置されるように、前記配向膜を形成する前に形成され、前記ギャップ保持部材の形状は楕円形状であることを特徴とする液晶表示装置。
【請求項４９】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記第２の基板を前記第1の基板と対向させたときに前記画素領域のバスライン上に配置されるように、前記配向膜を形成する前に形成され、前記ギャップ保持部材の形状は楕円形状であることを特徴とする液晶表示装置。
【請求項５０】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記第２の基板を前記第1の基板と対向させたときに前記画素領域のバスライン上に配置されるように、前記配向膜を形成する前に形成され、前記ギャップ保持部材の形状は楕円形状であることを特徴とする液晶表示装置。
【請求項５１】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性樹脂材料でなり、前記第２の基板を前記第1の基板と対向させたときに前記画素領域のバスライン上に配置されるように、前記配向膜を形成する前に形成され、前記ギャップ保持部材の形状は多角形状であることを特徴とする液晶表示装置。
【請求項５２】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は感光性ポリイミドでなり、前記第２の基板を前記第1の基板と対向させたときに前記画素領域のバスライン上に配置されるように、前記配向膜を形成する前に形成され、前記ギャップ保持部材の形状は多角形状であることを特徴とする液晶表示装置。
【請求項５３】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材は熱硬化樹脂材料でなり、前記第２の基板を前記第1の基板と対向させたときに前記画素領域のバスライン上に配置されるように、前記配向膜を形成する前に形成され、前記ギャップ保持部材の形状は多角形状であることを特徴とする液晶表示装置。
【請求項５４】
対向する第１の基板と第２の基板と、前記第１の基板と前記第２の基板の隙間に封止された液晶とを有し、
前記第１の基板には、複数の画素電極と、該画素電極に接続されたスイッチング素子とが設けられ、
前記第２の基板には、前記第１の基板と前記第２の基板の隙間を保持する複数のギャップ保持部材と、前記液晶を配向させる配向膜とが設けられ、前記ギャップ保持部材はポリイミド、アクリル、ポリアミド、またはポリイミドアミドから選ばれた材料でなり、前記第２の基板を前記第1の基板と対向させたときに前記画素領域のバスライン上に配置されるように、前記配向膜を形成する前に形成され、前記ギャップ保持部材の形状は多角形状であることを特徴とする液晶表示装置。
【請求項５５】
請求項１乃至５４のいずれか一項において、前記画素電極は有機樹脂膜上に形成されていることを特徴とする液晶表示装置。
【請求項５６】
請求項１乃至５４のいずれか一項において、前記画素電極は有機樹脂膜上に形成され、前記有機樹脂膜は窒化珪素膜上に形成されていることを特徴とする液晶表示装置。
【請求項５７】
請求項５５又は乃至５６において、前記有機樹脂膜は、ポリイミド、ポリアミド、ポリイミドアミドまたはポリアクリルでなることを特徴とする表示装置。
【請求項５８】
請求項１乃至５７のいずれか一項において、前記配向膜はポリイミドでなることを特徴とする液晶表示装置。
【請求項５９】
請求項１乃至５８のいずれか一項において、前記配向膜の厚さは６０〜１００ｎｍであることを特徴とする液晶表示装置。
【請求項６０】
請求項１乃至５９のいずれか一項において、前記ギャップ保持部材の高さは２．０〜５．０μｍであることを特徴とする液晶表示装置。
【請求項６１】
請求項１乃至６０のいずれか一項において、前記ギャップ保持部材は４０〜１６０個／ｍｍ2の密度で設けられたことを特徴とする液晶表示装置。
【請求項６２】
請求項１乃至６１のいずれか一項において、前記第２の基板には、カラーフィルターが形成されていることを特徴とする液晶表示装置。
【請求項６３】
請求項１乃至６２のいずれか一項において、前記第２の基板には、ブラックマトリクスが形成されていることを特徴とする液晶表示装置。
【請求項６４】
請求項１乃至６３のいずれか一項に記載のスイッチング素子は、プレナー型の薄膜トランジスタであることを特徴とする。
【請求項６５】
請求項１乃至６３のいずれか一項に記載のスイッチング素子は、逆スタガ型の薄膜トランジスタであることを特徴とする。
【請求項６６】
請求項１乃至６５のいずれか一項に記載の液晶表示装置は、ＴＮモードの液晶表示装置であることを特徴とする。
【手続補正３】
【補正対象書類名】明細書
【補正対象項目名】００３４
【補正方法】変更
【補正の内容】
【００３４】
次に、プラズマＣＶＤ法やＬＰＣＶＤ法によってアモルファスもしくは多結晶のシリコン膜を３０〜１５０ｎｍ、好ましくは５０〜１００ｎｍの厚さに形成する。そして、熱アニールを行い、シリコン膜を結晶化させる。熱アニールは５００℃以上、好ましくは８００〜９００℃の温度で行う。熱アニールによってシリコン膜を結晶化させた後、光アニールを行うことによって更に結晶性を高めてもよい。また、熱アニールによってシリコン膜を結晶化させる際に、特開平６−２４４１０４号公報に開示されているように、ニッケル等の元素（触媒元素）を添加することによって、シリコンの結晶化を促進させてもよい。
【手続補正４】
【補正対象書類名】明細書
【補正対象項目名】００５４
【補正方法】変更
【補正の内容】
【００５４】
まず、図５（Ｂ）に示すように、スピンコート法によって感光性ポリイミド膜２１１を厚さ３．２μｍに形成した。その後、感光性ポリイミド膜２２１の表面を対向基板２００全面に渡って平坦にするために、３０分間、常温で放置した（レベリング）。そして、上面に感光性ポリイミド膜２１１が形成された対向基板２００を１２０℃で３分間プリベークした。
【手続補正５】
【補正対象書類名】明細書
【補正対象項目名】００５６
【補正方法】変更
【補正の内容】
【００５６】
次に、感光性ポリイミド膜２１１をパターンニングする。図５（Ｃ）に示すように、感光性ポリイミド膜２１１をフォトマスク２１２で覆い、マスク２１２側から紫外線を照射した。その後、現像処理を行い、２８０℃で１時間ポストベークを施した。こうして、図５（Ｄ）に示すように、パターンニングされたセルギャップ保持部材２２０が形成された。
【手続補正６】
【補正対象書類名】明細書
【補正対象項目名】００６２
【補正方法】変更
【補正の内容】
【００６２】
ギャップ保持材１１０、２３０にはポリイミドを用いたが、アクリル、ポリアミド、またはポリイミドアミド等の樹脂を用いてもよい。また、ギャップ保持材に熱硬化樹脂を用いてもよい。
【手続補正７】
【補正対象書類名】図面
【補正対象項目名】図９
【補正方法】変更
【補正の内容】
【図９】
1998325959.tif 000001
【手続補正８】
【補正対象書類名】図面
【補正対象項目名】図１１
【補正方法】変更
【補正の内容】
【図１１】
1998325959.tif 000002